(57)【要約】【課題】スリットのない帯状部分を減少してどの位置の土壌からも水分を採取して精度の高い汚染度調査ができる汚染調査管を提供する。【解決手段】周囲数ヶ所に、周方向に延びる複数のスリット１１を備えた管体であって、複数のスリット１１が管体の長さ方向に亘って同位相に設けられた第１のスリット群１１Ａと、複数のスリット１１が管体の長さ方向に亘って同位相に設けられ、かつ第１のスリット群１１Ａとは異なる位相に設けられた第２のスリット群１１Ｂとからなる。  第１のスリット群と第２のスリット群を、管体の長さ方向に所定間隔を置いて交互に設けてもよく、また、第１のスリット群の各スリットと第２のスリット群の各スリットとを、管体の長さ方向に亘って相互に隣接するように設けてもよい。【選択図】  図１
2005134272.tif 000002
【特許請求の範囲】
【請求項１】
周囲数ヶ所に、周方向に延びる複数のスリットを備えた管体であって、
前記複数のスリットが管体の長さ方向に亘って同位相に設けられた第１のスリット群と、前記複数のスリットが管体の長さ方向に亘って同位相に設けられ、かつ前記第１のスリット群とは異なる位相に設けられた第２のスリット群とからなることを特徴とする汚染調査管。
【請求項２】
請求項１記載の汚染調査管において、
前記第１のスリット群と前記第２のスリット群とを、管体の長さ方向に所定間隔を置いて交互に設けたことを特徴とする汚染調査管。
【請求項３】
請求項１記載の汚染調査管において、
前記第１のスリット群の各スリットと前記第２のスリット群の各スリットとを、管体の長さ方向に亘って相互に隣接するように設けたことを特徴とする汚染調査管。
【発明の詳細な説明】
【技術分野】
【０００１】
本発明は、有害物質等を含む汚染土壌の汚染度を調査するときに使用される汚染調査管に関する。
【背景技術】
【０００２】
従来から、図４に示すように、汚染土壌１５の汚染度を調査するために土壌１３にボーリング等により採取孔１２を開け、この採取孔１２に、スリットを有する汚染調査管１を差し込んで土壌中の水分を、スリットから管内に導入させ、これを試料採取器１４を用いて採取し分析、検査することが行われている（特許文献１参照）。
【特許文献１】特開２００１−２８９７５０号公報
【発明の開示】
【発明が解決しようとする課題】
【０００３】
ところで、上記の技術には、次のような解決すべき課題があった。
従来の汚染調査管１を図３に示す。従来の汚染調査管１に設けられたスリット２は、周方向に細長く延びた開口を有するものであるが、これらが周囲４ヶ所に、かつ管体の全長に亘ってそれぞれ一直線状に配列されて設けられている。このため、周方向にみてスリットのない部分３が全長に亘って帯状に生じている。このため、使用時に、このスリットのない帯状部分３に接している土壌の水分が管体内に導入されず、正確な土壌調査を期することができない場合があった。
【０００４】
本発明は、スリットのない帯状部分を減少してどの位置の土壌からも水分を採取して精度の高い汚染度調査ができる汚染調査管を提供することを目的とする。
【課題を解決するための手段】
【０００５】
本発明は以上の点を解決するため次の構成を採用する。
〈構成１〉
周囲数ヶ所に、周方向に延びる複数のスリットを備えた管体であって、上記複数のスリットが管体の長さ方向に亘って同位相に設けられた第１のスリット群と、上記複数のスリットが管体の長さ方向に亘って同位相に設けられ、かつ上記第１のスリット群とは異なる位相に設けられた第２のスリット群とからなることを特徴とする汚染調査管。
【０００６】
同位相とは、複数のスリットの各開口が管体の長さ方向に亘って周方向の同じ部位に位置していることをいう。スリット群とは、各開口が管体の長さ方向に亘って周方向の同じ部位に位置している複数のスリットの総称である。汚染調査管は、必要に応じて複数本が継ぎ足され、土壌に設けられた約１０ｍの採取孔に挿入されて使用される。土壌に埋入された汚染調査管には土壌内の水分がスリットから内部に浸入する。汚染調査管内に溜まった水分は、汚染調査管の上端から差し込まれた試料採取器によって採取され地上で分析、検査される。
汚染調査管内には、土壌の深さに応じた水分がほとんどそのまま積層された状態で溜まる。したがって、試料採取器で所定の深さの水分を採取することによって、その採取深さと同じ深さの土壌に含まれる水分を分析、検査することができる。
この構成１によれば、第１のスリット群と第２のスリット群とを有することによって、管体の全周に亘ってスリットが設けられた状態となるから、土壌中の水分を隈なく採取することができる。
【０００７】
〈構成２〉
構成１記載の汚染調査管において、上記第１のスリット群と上記第２のスリット群とを、管体の長さ方向に所定間隔を置いて交互に設けたことを特徴とする汚染調査管。
【０００８】
この構成は、第１のスリット群を、例えば１０数ｃｍの長さに亘って設け、次に、数ｃｍの間隔を置いて第２のスリット群を、第１のスリット群と同じ長さに亘って設け、続いて、数ｃｍの間隔を置いて第１のスリット群を同じ長さに亘って設けるというように、第１と第２のスリット群を所定間隔を置いて同じような長さに交互に設けたものである。
各スリットをこのように設けることにより、管体の全周に亘ってスリットが設けられた状態となるから、土壌中の水分を隈なく採取することができる。
【０００９】
〈構成３〉
構成１記載の汚染調査管において、上記第１のスリット群の各スリットと上記第２のスリット群の各スリットとを、管体の長さ方向に亘って相互に隣接するように設けたことを特徴とする汚染調査管。
【００１０】
この構成は、第１のスリット群のスリットと第２のスリット群のスリットとが管体の長さ方向に亘ってあたかも螺旋状に配列されたような形となり、可撓性を有するものとなる。したがって、土壌中の水分を隈なく採取できるだけでなく、土壌に設けられた採取孔が湾曲していても容易に挿入することができる。
【発明を実施するための最良の形態】
【００１１】
以下、本発明の実施の形態を具体例を用いて説明する。
【実施例１】
【００１２】
以下、本発明の実施の形態を具体例を用いて説明する。
図１は本発明の汚染調査管の一実施例を示す図である。
図１において、管体１０は、全長約２ｍで、プラスチック製あるいは金属製である。この管体１０の周囲４ヶ所に、ほぼ等間隔で周方向に延びるスリット１１が設けられている。これらのスリット１１は、第１のスリット群１１Ａと第２のスリット群１１Ｂとから構成されている。
【００１３】
第１のスリット群１１Ａは、複数のスリットを管体１０の長さ方向に亘って同位相に設けたものである。第２のスリット群１１Ｂは、複数のスリットを管体１０の長さ方向に亘って同位相に設けると共に、第１のスリット群１１Ａとは異なる位相に設けたものである。
同位相とは、複数のスリットの各開口が管体１０の長さ方向に亘って周方向の同じ部位に位置していることをいう。
したがって、第１のスリット群１１Ａと第２のスリット群１１Ｂとは、管体１０の長さ方向にみると、スリットが設けられていない帯状部分１７を互いに補完し合う状態で設けられている。
【００１４】
第１のスリット群１１Ａと第２のスリット群１１Ｂは、管体１０の長さ方向に所定間隔を置いて交互に設けられている。
例えば、第１のスリット群１１Ａが管体１０の一端部から１４〜１５ｃｍの長さに亘って設けられ、次に２〜３ｃｍの間隔を置いて、第２のスリット群１１Ｂが１４〜１５ｃｍの長さに亘って設けられ、続いて２〜３ｃｍの間隔を置いて、第１のスリット群１１Ａが１４〜１５ｃｍの長さに亘って設けられるというように、第１のスリット群１１Ａと第２のスリット群１１Ｂとが管体１０の全長に亘って交互に設けられている。各スリットの間隔は、４〜５ｍｍである。
【００１５】
上記のように構成された汚染調査管１０は、図４に示されるように、土壌１３に設けられた約１０ｍの採取孔１２に挿入されて使用される。汚染調査管１０は採取孔１２の深さに応じて複数本、例えば４〜６本が継ぎ足される。
土壌中の汚染調査管１０内には土壌１３内の水分が逐次各スリット１１から浸入し溜まる。この溜まった水分は、汚染調査管１０の上端から差し込まれた試料採取器１４によって一定深さ間隔ごとの複数の測定深さ位置にて採取され、地上で分析、検査される。
【実施例２】
【００１６】
図２は本発明の汚染調査管の他の実施例を示す図である。
図２に示す汚染調査管２０は、第１のスリット群２１Ａと第２のスリット群２１Ｂの各スリットの配列状態が実施例１の汚染調査管１０と相違している。
すなわち、第１のスリット群２１Ａのスリットと、第２のスリット群２１Ｂのスリットとがそれぞれ管体２０の周囲４ヶ所にほぼ等間隔で設けられるが、さらに管体２０の長さ方向に亘って相互に隣接するように設けられている。
【００１７】
この構成の各スリットは、図１に示されるようなスリットが設けられていない帯状部分１７がなく、あたかも管体２０の長さ方向に亘って螺旋状に設けられた形となり、管体２０に可撓性を生じさせている。
このように構成された汚染調査管２０は、可撓性を備えることから、例えば図５に示すように土壌１３に、汚染土壌１５に向って湾曲して設けられた採取孔１２にも挿入することができる。
【００１８】
上記実施例ではスリットが管体の周囲４ヶ所に設けられた例を示したが、本発明ではこれに限定されず、適宜増減したものを含むものとする。また管体の長さ方向に亘ってスリットが設けられていない帯状部分が生じないように、スリット群の数も適宜増減したものを含むものとする。
【図面の簡単な説明】
【００１９】
【図１】本発明の汚染調査管の一実施例を示す斜視図である。
【図２】本発明の汚染調査管の他の実施例を示す斜視図である。
【図３】従来の汚染調査管を示す斜視図である。
【図４】汚染調査管の使用状況の説明図である。
【図５】汚染調査管の他の使用状況の説明図である。
【符号の説明】
【００２０】
１０  汚染調査管
１１  スリット
１１Ａ  第１のスリット群
１１Ｂ  第２のスリット群
１２  採取孔
１３  土壌
【図１】
2005134272.tif 000003
【図２】
2005134272.tif 000004
【図３】
2005134272.tif 000005
【図４】
2005134272.tif 000006
【図５】
2005134272.tif 000007